(57)【要約】【課題】電話番号が付与されていないＩＰ電話機であっても音声認証を行うことが出来るＩＰ電話システムを提供する。【解決手段】ユーザがＩＰ電話機１をオフフックすると、交換機３にログイン要求を行う。交換機３は音声認証用の仮番号をＩＰ電話機１に通知し、ＩＰ電話機１に仮番号が付与される。仮番号が付与されたＩＰ電話機１は自動発信を行って音声認証サーバ８と接続する。ユーザが音声を入力すると、音声認証サーバ８は音声認証を行い、認証に成功すれば交換機３からＩＰ電話機１に音声パターンに対応する電話番号を通知する。ＩＰ電話機１は仮番号が削除されて電話番号が付与され、ＩＰ電話機として使用可能となる。【選択図】  図１
2005203901.tif 000002
【特許請求の範囲】
【請求項１】
交換機に収容されたＩＰ電話機にフレキシブルに電話番号を付与することが出来るＩＰ電話システムであって、前記ＩＰ電話機はゲートウェイとイントラネットを介して前記交換機及び音声認証サーバと接続されており、前記交換機は、前記ＩＰ電話機からログイン要求を受けた際に前記ＩＰ電話機に仮番号を付与し、前記ＩＰ電話機は前記付与された仮番号を用いて前記音声認証サーバに発信して接続を行い、前記音声認証サーバは、前記ＩＰ電話機に音声入力を要求し、入力された音声のパターンが予め登録されている音声パターンであるか判断を行い、予め登録されている音声パターンであると判断した場合前記ゲートウェイに認証成功を通知すると共に前記登録されている音声パターンに対応する音声番号を前記交換機に通知し、前記ゲートウェイは前記認証成功通知を受信すると前記ＩＰ電話機に前記イントラネットへの接続を許可し、前記交換機は前記通知された音声番号に対応する電話番号を前記ＩＰ電話機に付与し、前記ＩＰ電話機は前記付与された仮番号を削除して前記付与された電話番号を用いて使用を可能とすることを特徴とするＩＰ電話システム。
【請求項２】
交換機に収容されたＩＰ電話機にフレキシブルに電話番号を付与することが出来るＩＰ電話システムであって、前記ＩＰ電話機はゲートウェイとイントラネットを介して前記交換機及び音声認証サーバと接続されており、前記交換機は、前記ＩＰ電話機からログイン要求を受けた際に前記ＩＰ電話機に仮番号を付与し、前記ＩＰ電話機は前記付与された仮番号を用いて前記音声認証サーバに発信して接続を行い、前記音声認証サーバは、前記ＩＰ電話機に音声入力を要求し、入力された音声のパターンが予め登録されている音声パターンであるか判断を行い、予め登録されている音声パターンではないと判断した場合前記ゲートウェイ及び前記交換機に認証失敗を通知し、前記ゲートウェイは前記認証失敗通知を受信すると前記ＩＰ電話機に前記イントラネットへの接続を禁止し、前記交換機は前記ＩＰ電話機に認証失敗を通知し、前記ＩＰ電話機は前記付与された仮番号を削除して使用を不可とすることを特徴とするＩＰ電話システム。
【請求項３】
前記ＩＰ電話機は前記仮番号が付与されると即座に前記音声認証サーバに自動発信することを特徴とする請求項１及び２に記載のＩＰ電話システム。
【発明の詳細な説明】
【技術分野】
【０００１】
本発明はＩＰ電話システムに関し、特にＩＰ電話システムにおける悪意のなりすましを防ぐ為に音声認証により電話番号を付与する技術に関する。
【背景技術】
【０００２】
近年、インターネットの爆発的な普及に伴い、ＩＰ電話サービスが注目を集めている。ＩＰ電話サービスはＩＰネットワーク基盤を利用して実現された音声通話サービスであり、音声データをＩＰネットワーク上でやりとりするためのＶｏＩＰ技術を利用して音声データとＩＰデータの変換を行い、回線効率や柔軟性の高いＩＰネットワーク網を利用して、従来の音声電話サービスよりも安価な通話料金を実現している。
【０００３】
一般的なＩＰ電話システムの構成図を図７に示す。交換機３に収容されたＩＰ電話機１は固定の電話番号を持たず、フレキシブルに電話番号を付与することが出来る。ＩＰ電話機１に電話番号を付与する場合、使用者が電話番号と認証のための暗証番号をダイヤルする。ダイヤルされた番号と、交換機３が持つ電話番号および暗証番号のテーブル４（図８参照）とを比較し、一致する場合に電話番号が付与され、ＩＰ電話機１が使用可能となる。これにより、場所や端末に限定されることなく自分の電話番号を使用することが出来る。
【０００４】
しかし、暗証番号は不正に導き出すことが可能であり、暗証番号が漏洩してしまうと、悪意のなりすましによりＩＰ電話機を不正に使用される恐れがあった。
【０００５】
従来電話サービスにおいてなりすましを防ぐために、特許文献１に示すように音声認証サーバを用いて音声認証により使用者を識別し、サービスの提供を判断する技術がある。音声認証サーバを使用する場合、電話機から音声認証サーバにダイヤルし、音声認証サーバに接続する。接続された音声認証サーバに電話機から音声を送り、音声認証サーバで認証を行うことによりなりすましを防ぐ事が出来る。
【０００６】
【特許文献１】特開２００３−２３３５９５公報
【発明の開示】
【発明が解決しようとする課題】
【０００７】
しかしながら、ＩＰ電話システムの場合、ＩＰ電話機に電話番号を付与する際に音声認証を行う必要があるが、ＩＰ電話機は電話番号が付与されていない状態では発信が出来ず、ＩＰ電話機は音声認証サーバと接続できないため、音声認証を行うことが出来ないという問題点があった。
【課題を解決するための手段】
【０００８】
本発明は、交換機に収容されたＩＰ電話機にフレキシブルに電話番号を付与することが出来るＩＰ電話システムであって、前記ＩＰ電話機はゲートウェイとイントラネットを介して前記交換機及び音声認証サーバと接続されており、前記交換機は、前記ＩＰ電話機からログイン要求を受けた際に前記ＩＰ電話機に仮番号を付与し、前記ＩＰ電話機は前記付与された仮番号を用いて前記音声認証サーバに発信して接続を行い、前記音声認証サーバは、前記ＩＰ電話機に音声入力を要求し、入力された音声のパターンが予め登録されている音声パターンであるか判断を行い、予め登録されている音声パターンであると判断した場合前記ゲートウェイに認証成功を通知すると共に前記予め登録されている音声パターンに対応する音声番号を前記交換機に通知し、前記ゲートウェイは前記認証成功通知を受信すると前記ＩＰ電話機に前記イントラネットへの接続を許可し、前記交換機は前記通知された音声番号に対応する電話番号を前記ＩＰ電話機に付与し、前記ＩＰ電話機は前記付与された仮番号を削除して前記付与された電話番号を用いて使用を可能とすることを特徴とする。
【０００９】
また本発明は、交換機に収容されたＩＰ電話機にフレキシブルに電話番号を付与することが出来るＩＰ電話システムであって、前記ＩＰ電話機はゲートウェイとイントラネットを介して前記交換機及び音声認証サーバと接続されており、前記交換機は、前記ＩＰ電話機からログイン要求を受けた際に前記ＩＰ電話機に仮番号を付与し、前記ＩＰ電話機は前記付与された仮番号を用いて前記音声認証サーバに発信して接続を行い、前記音声認証サーバは、前記ＩＰ電話機に音声入力を要求し、入力された音声のパターンが予め登録されている音声パターンであるか判断を行い、予め登録されている音声パターンではないと判断した場合前記ゲートウェイ及び前記交換機に認証失敗を通知し、前記ゲートウェイは前記認証失敗通知を受信すると前記ＩＰ電話機に前記イントラネットへの接続を禁止し、前記交換機は前記ＩＰ電話機に認証失敗を通知し、前記ＩＰ電話機は前記付与された仮番号を削除して使用を不可とすることを特徴とする。
【００１０】
更に、前記ＩＰ電話機は前記仮番号が付与されると即座に前記音声認証サーバに自動発信することを特徴とする。
【発明の効果】
【００１１】
本発明のＩＰ電話システムによれば、電話番号が付与されていないＩＰ電話機であっても音声認証を行うことができ、従来の暗証番号による認証に比べ、なりすましによる不正使用をより高度に防止することが出来る。
【発明を実施するための最良の形態】
【００１２】
以下、本発明の実施の形態を図面を参照しながら詳細に説明する。
【００１３】
図１は、本発明の一実施形態であるＩＰ電話システムの構成の一例を示す概念図である。本実施形態の場合、ＩＰ電話機１と、ＩＰ電話機１を収容可能な交換機３と音声認証サーバ８によって構成される。交換機は電話番号および暗証番号に対してＩＰ電話機のＩＰアドレスおよび音声番号を対応づけるテーブル９（図２参照）を持つ。音声認証サーバは音声番号と音声データを対応づけるテーブル１０（図３参照）を持つ。交換機と音声認証サーバはイントラネット２に接続されている。ＩＰ電話機１はルータ５を介してインターネット６に接続されており、ゲートウェイ７を経由してイントラネット２に接続される。
【００１４】
次に図面を用いて本実施形態の動作の詳細な説明を行う。
【００１５】
まず、ユーザが事前に行うべき音声認証登録について図４を参照して説明を行う。音声認証を登録する場合、ユーザはＩＰ電話機１から音声認証登録用の特番と電話番号と暗証番号をダイヤルし、（Ｓ１）、交換機３に対し音声登録要求を行う（Ｓ２）。なお、この音声認証登録の際に使用するＩＰ電話機１は既に電話番号が付与されているものを用いることとする。交換機３は電話番号および暗証番号のテーブル９とダイヤルされた電話番号及び暗証番号とを比較する（Ｓ３）。比較の結果、一致するデータがあり、音声番号も登録されていない場合、ＩＰ電話１と音声認証サーバ８が接続される（Ｓ４〜Ｓ６）。次にＩＰ電話機１から音声を入力すると（Ｓ７，Ｓ８）、音声認証サーバ８は音声番号と音声データを対応づけるテーブル１０に音声のパターンを登録する（Ｓ９）。音声認証サーバ８が登録した音声番号を交換機に送信すると（Ｓ１０）、交換機は電話番号と暗証番号に対応づけられたテーブル１０に音声番号を登録し、音声認証を有効とする。（Ｓ１１）。その後交換機３はＩＰ電話機１及び音声認証サーバ８との通信を切断し（Ｓ１２，Ｓ１３）、音声登録完了通知をＩＰ電話機１に送信する（Ｓ１４）。これにより事前の音声認証登録が完了する（Ｓ１５）。
【００１６】
次に本発明のＩＰ電話システムの目的である、電話番号が付与されていないＩＰ電話から音声認証を行い、電話番号を付与する場合の動作について図５を用いて説明を行う。ユーザがＩＰ電話機１をオフフックすると（Ｓ１６）、ＩＰ電話機１は交換機３にログイン要求を送信する（Ｓ１７）。経由するゲートウェイ７は認証のために、音声認証サーバ８に認証要求を送信する（Ｓ１８）。音声認証サーバ８では認証元がＩＰ電話機１の場合、交換機３に認証要求を送信する（Ｓ１９）。交換機３は音声認証用の仮番号をＩＰ電話機１に通知し（Ｓ２０）、ＩＰ電話機１に仮番号が付与される（Ｓ２１）。仮番号が付与されると、ＩＰ電話機１は即座に音声認証サーバ８に自動発信し（Ｓ２２）、音声認証サーバ８の自動応答によりＩＰ電話機１と音声認証サーバ８が接続される（Ｓ２３）。なお、自動発信されることにより、仮番号を使用して音声認証サーバ以外に発信することはできない。
【００１７】
音声認証サーバ８はＩＰ電話機１に対し音声入力要求を送信する（Ｓ２４）。ユーザがＩＰ電話機１から音声を入力すると（Ｓ２５，Ｓ２６）、音声認証サーバ８はテーブル１０を参照して音声のパターンを検索し（Ｓ２７）、一致する音声パターンがあった場合、ゲートウェイ７に認証成功通知を送信し（Ｓ２８）、ゲートウェイ７はＩＰ電話機１からイントラネット２への接続を許可する（Ｓ２９）。また音声認証サーバ８は交換機３に音声番号を通知し（Ｓ３０）、交換機３はテーブル９を参照して音声番号に対応する電話番号を検索する（Ｓ３１）。対応する電話番号が検索された場合、ＩＰ電話機１に電話番号が通知されると（Ｓ３２）、仮番号の削除および通知された電話番号の付与が行われ（Ｓ３３）、ＩＰ電話機１が使用可能になる（Ｓ３４）。
【００１８】
音声登録をしていない使用者がＩＰ電話機を利用使用とした場合について図６を用いて説明を行う。ログイン要求から音声認証までは図５と同様な処理を行う（Ｓ１６〜Ｓ２７）。音声認証においてテーブル１０に一致する音声のパターンがないため、音声認証サーバ８はゲートウェイ７に認証失敗通知を送信し（Ｓ３５）、ゲートウェイ７はＩＰ電話機１のイントラネット接続を許可しない（Ｓ３６）。また音声認証サーバ８は交換機３に認証失敗通知を送信し（Ｓ３７）、交換機３はＩＰ電話機１に認証失敗通知を送信する（Ｓ３８）。認証に失敗したＩＰ電話機は仮番号を削除し（Ｓ３９）、使用不可能のままとなる（Ｓ４０）。
【図面の簡単な説明】
【００１９】
【図１】本発明に係わるＩＰ電話システムの一実施形態を示した構成図である。
【図２】本実施の形態において交換機３が持つＩＰ電話機認証用のデータテーブルである。
【図３】本実施の形態において音声認証サーバ８が持つＩＰ電話機認証用のデータテーブルである。
【図４】本実施の形態における音声登録処理を示したシーケンス図である。
【図５】本実施の形態における音声認証成功時の処理を示したシーケンス図である。
【図６】本実施の形態における音声認証失敗時の処理を示したシーケンス図である。
【図７】従来のＩＰ電話システムを示した構成図である。
【図８】従来のＩＰ電話システムにおいて交換機が持つＩＰ電話機認証用のデータテーブルである。
【符号の説明】
【００２０】
１  ＩＰ電話機
２  イントラネット
３  交換機
５  ルータ
６  インターネット
７  ゲートウェイ
８  音声認証サーバ
【図１】
2005203901.tif 000003
【図２】
2005203901.tif 000004
【図３】
2005203901.tif 000005
【図４】
2005203901.tif 000006
【図５】
2005203901.tif 000007
【図６】
2005203901.tif 000008
【図７】
2005203901.tif 000009
【図８】
2005203901.tif 000010